(57)【要約】      （修正有）【課題】フロント部の両側に折畳み出来るように取付けたツルが、メガネを掛ける際の開いた状態から、バネ力の作用下においてさらに外方向へ僅かに押し開くことが出来るメガネフレームのツルを提供する。【解決手段】ツル本体１４はその基部側に開口部を間にして設けた上片部と下片部を、該開口部にはヨロイ先端に蝶番を介して連結した連結部材１８を配置し、Ｖ形板バネ８の基部を上記連結部材１８の先端に、またＶ形板バネ８の上片と下片の先端を上記上片部と下片部の先端に固定している。【選択図】図７
0003207203.tif 000002
【実用新案登録請求の範囲】
【請求項１】
フロント部の両側に折畳み出来るように取付けたツルが、メガネを掛ける際の開いた状態から、さらに外方向へ僅かに押し開くことが出来るように機能するツルにおいて、ツル本体はその基部側に開口部を間にして設けた上片部と下片部を、該開口部にはヨロイ先端に蝶番などの継手を介して連結した連結部材を配置し、概略Ｖ形をした板バネの基部を上記連結部材の先端に、また概略Ｖ形をした板バネの上片と下片の先端を上記上片部と下片部の先端に固定して構成したことを特徴とするメガネフレームのツル。
【請求項２】
上記概略Ｖ形をした板バネの基部と上片及び下片の先端には凸部を形成した請求項１記載のメガネフレームのツル。
【考案の詳細な説明】
【技術分野】
【０００１】
本考案はメガネを掛けた際にツルが適度な圧力で顔側面及び側頭部を押圧することが出来るようにしたバネ蝶番としての機能を備えたメガネフレームのツルに関するものである。
【背景技術】
【０００２】
ツルが開いた状態から、外方向へ僅かに押し開くことが出来るように機能する継手は一般的にバネ蝶番と称され、メガネフレームのツル継手手段として多用されている。
ところで、該バネ蝶番は開いた状態のツルに戻し方向へバネ力を付勢することで外方向へ押し開くことが出来るように構成し、その為に内部にコイルバネを収容している。すなわち、コイルバネを圧縮変形させることでバネ力を発生しているが、上記コイルバネを伸縮変形させる摺動部材が必要となっている。
そこで、ゴミの介入やサビの発生でこの摺動部材の摺動に支障をきたす場合、ツルの開き操作がスムーズに機能しないことになる。
【０００３】
図８には最も基本的なバネ蝶番と称される継手構造を示している。すなわち、該バネ蝶番の基本的な考えは、ヨロイ（イ）には固定蝶片（ロ）をロウ付け固定し、他方の蝶片を摺動蝶片（ハ）として一定距離の摺動を許すことによって外方向への開きをツル（ニ）に与えることが出来る。
【０００４】
ツル（ニ）にはガイド溝が形成され、摺動蝶片（ハ）はガイド溝を案内として摺動する訳であるが、上記摺動蝶片（ハ）を構成するバネケース（ホ）の内部空間（ヘ）にはコイルバネ（ト）が収まっていて、ツル（ニ）を外方向ヘ押し開く際にはバネケース（ホ）が固定蝶片（ロ）側へ引き寄せられて圧縮される。該コイルバネ（ト）はバネケース（ホ）の内部空間入口に設けられてツル（ニ）の係止溝（チ）に係止したツメ（リ）に当たり、該ツメ（リ）はストッパーとして機能している。その結果、コイルバネ（ト）の復元力がツル（ニ）に作用して、該ツル（ニ）を元の位置に戻そうとする。
【０００５】
ところで、上記バネケース（ホ）にコイルバネ（ト）を内臓した蝶番構造は同図に示すごとくツル（ニ）に設けているガイドに沿ってスライドすることで機能するが、該スライド機能が損なわれて故障し易く、一旦故障すれば修理し難い等の問題もある。コイルバネ（ト）及び該コイルバネ（ト）の中心穴に挿入した芯金（ヌ）の円錐形頭部を押し込んでツメ（リ）に係止するならば、バネケース（ホ）の内部空間（ヘ）から該ツメ（リ）並びにコイルバネ（ト）及び芯金（ヌ）を取り外すことが出来ない。
【０００６】
このように、コイルバネを用いて構成したバネ蝶番はその構造が複雑であると共に故障し易い為に、該コイルバネの代わりに板バネを備えて構成したバネ蝶番も知られている。
例えば、特開平１０−１３３１５３号に係る「メガネフレームのツル継手構造」は、ツルの折り畳み操作がスムーズであり、摺動部がなくて簡単な構造としている。すなわち、フロントフレームに固定したヨロイにはヨロイ側継手片を、ツルにはツル側継手片それぞれ固定して互いに組み合わせ、ヨロイ側継手片には長穴からなるピン穴を形成した継手部を設けて湾曲面を有し、ツル側継手片には板バネをヨロイ側継手片方向へ延ばして先端部を湾曲面に当接し、ネジピンを介して互いに連結している。
【０００７】
特開２００３−５７６０５号に係る「メガネフレームのツル継手構造」は、メガネフレームのツルが開いた状態から、さらに外方向へ僅かに押し開くことが出来るようにしたバネ蝶番と同じ機能を備えたもので、構造が簡単で製作コストの安いツル継手構造である。そこで、ツルの内側に板バネの基部を固定して先端を自由端とし、先端は湾曲してヨロイに当接してバネ力を付勢している。
【０００８】
【特許文献１】特開平１０−１３３１５３号に係る「メガネフレームのツル継手構造」
【特許文献２】特開２００３−５７６０５号に係る「メガネフレームのツル継手構造」
【考案の開示】
【考案が解決しようとする課題】
【０００９】
このように、コイルバネを備えたスライド式バネ蝶番のバネケースには上記のごとき問題がある。また、板バネを用いて構成したバネ蝶番の場合、該板バネの弾性変形量が限られるためにバネ蝶番としての機能は十分でない。
本考案が解決しようとする課題はこの問題点であって、構造がより簡単で故障することはなく、しかもツルが安定して開閉することが出来ると共にバネ蝶番としての十分な機能を備えたツルを提供する。
【課題を解決するための手段】
【００１０】
本考案に係るメガネフレームのツル（テンプル）はバネ蝶番としての機能を備えている。そこで、継手自体にはバネ蝶番機能を有しておらず、従来から一般的にツルを折畳み出来るように連結する為に使用されている蝶番を用いることが出来る。勿論、蝶番に限定するものではない。
そして、ツルはその基部側に切欠かれた開口部を形成し、該開口部を間にして上片部と下片部が延びている。
【００１１】
この開口部には継手部材が嵌り、継手部材とツルとはＶ形をした板バネにて連結している。すなわち、Ｖ形板バネは横に倒されて継手側を開口（＞形を形成している）し、Ｖ形板バネの基部は上記継手部材の先端部に固定され、両片の先端はツルの上片部先端と下片部先端に固定される。そして、該継手部材はヨロイと蝶番などの継手を介して連結される。
【考案の効果】
【００１２】
本考案のツルは該ツル自体にバネ蝶番機能を備えている。その為にツルは一般的に多用されている蝶番を用いてツルを連結することが出来る。その為に、フロント部両側に設けているヨロイに蝶番を介して取付けるだけでよく、メガネフレームの組み立て作業は簡単であり、ツルにはバネ蝶番と同じ機能を備えることが出来、メガネを顔に掛けた場合にフロント部が位置ズレすることなく安定する。しかも、メガネを掛けた状態はソフトで長時間着用しても痛みを感じることはない。
【００１３】
ところで、ツルはその基部側が開口し、開口部に嵌った継手部材は横に倒れたＶ形板バネを介して繋がれている。継手部材は蝶番にてヨロイと連結するが、ツルはＶ形をした板バネを介して連結している為に、ツルはバネ蝶番と同じように機能することが出来、外方向へ押し開くことが出来る。
ここで、板バネがＶ形をしていることで、ツルは安定して開閉することが出来、しかもＶ形板バネはツル開口部に嵌った継手部材と重なって取付けられることで、その長さはツルの長さに左右されることなく定めることが可能であり、ツルの撓みもしなやかに成る。
【図面の簡単な説明】
【００１４】
【図１】本考案のツルを備えたメガネフレームで、（ａ）は平面図、（ｂ）は正面図。
【図２】本考案のツルを備えたメガネフレームの側面図。
【図３】Ｖ形板バネのバネ変形にてツルが外方向へ撓み変形する場合。
【図４】Ｖ形板バネの具体例。
【図５】ツル本体を示す具体例。
【図６】ヨロイ先端に蝶番を介して連結部材を繋いだ場合。
【図７】Ｖ形板バネにて連結部材とツル本体の上片部と下片部を連結した場合。
【図８】従来のバネ蝶番を示す実施例。
【考案を実施するための形態】
【００１５】
図１、図２は本考案のツルを備えたメガネフレームを表している実施例であり、図１の（ａ）は平面図、（ｂ）は正面図を示し、図２は側面図をそれぞれ表している。同図において、１はフロント部、２はツル（テンプル）、３はリム、４は連結部材、５は鼻当てパット、６は蝶番、７はヨロイをそれぞれ表している。
フロント部１は両リム３，３が連結部材４にて連結され、中央には鼻当てパット５，５が取付けられている。
【００１６】
そして、該フロント部１の両側にロウ付けしたヨロイ７，７には、蝶番６，６にてツル２，２が折畳み出来るように取付けられている。本考案のツル２はその一部に板バネを備えて構成し、その為に弾性変形（撓み変形）することでバネ蝶番と同じように機能することが出来る。したがって、継手は従来から一般的に使われている蝶番６が用いられ、バネ蝶番ではない。
【００１７】
図３はヨロイ７に連結したツル２を示し、（ａ）はツル２が開いた状態を、（ｂ）は開いた状態を示す点線の位置から外方向へツル２を僅かに押し開いた状態を表している。該ツル２にはＶ形をした板バネが取付けられ、このＶ形板バネ８が弾性変形（撓み変形）することで（ｂ）に示すように該ツル２は外方向へ撓むことが出来る。そして、Ｖ形板バネ８の弾性変形することで該ツル２が点線で示す位置に戻す力が働く。
【００１８】
図４は上記Ｖ形板バネ８を示す具体例であり、上片９と下片１０とでＶ形を形成している。該上片９と下片１０とが交わる基部１１には凸部１２を設け、同じく上片９と下片１０の先端にも凸部１３を形成していて、その他の部分は薄くして弾性変形（撓み変形）し易く成っている。
ここで、該Ｖ形板バネ８はその形状をＶ形としているが、上片９と下片１０を有す概略Ｖ形でよい。例えば、上片９及び下片１０は傾斜することなく、基部から平行に延びると共に先端がツル２に形成した上片部１０と下片部１７に連結するように外方向へ繋ぎ片を延ばした形状とすることも出来る。
【００１９】
図５はツル本体１４を表している具体例であり、同図に示すようにツル本体１４の基部側は細長く切欠かれて開口部１５を有している。そこで該開口部１５を挟んで上片部１６と下片部１７が延びている。
ところで、フロント部１の両側にロウ付けされているヨロイ７には蝶番６を介して連結部材が繋がれ、この連結部材とツル本体１４とが上記Ｖ形板バネ８によって連結される。
【００２０】
図６はヨロイ７に蝶番６を介して繋がれた連結部材１８を表しているが、該連結部材１８は前記図５に示したツル本体１４に形成している開口部１５に嵌る大きさとしている。
図７は上記連結部材１８が開口部１５に嵌ってツル本体１４と連結している状態を示している。Ｖ形板バネ８の基部１１に形成している凸部１２は連結部材１８の先端にロウ付けされ、上片９と下片１０の先端に形成している凸部１３，１３はツル本体１４の上片部１６と下片部１７の先端にロウ付けされている。
【００２１】
ところで、前記図３（ｂ）に示すようにツル２が外方向へ押圧された場合、上記Ｖ形板バネ８の上片９及び下片１０は弾性変形（バネ変形）してツル２は撓み変形することが出来る。ここで、連結部材１８及びツル本体１４の上片部１６と下片部１７が殆ど撓み変形することはなく、Ｖ形板バネ８のバネ変形によってツル２は撓み変形することが出来る。
【００２２】
本考案ではＶ形板バネ８が連結部材１８の内側であって、重なり合う位置に配置される。その為に、ツル２の長さに影響することなくＶ形板バネ８の長さを定めることが出来、ツル２の撓み変形量並びに撓み変形の強さが良好になるようにすることが可能となる。また、Ｖ形板バネ８の上片９と下片１０がツル本体１４の上片部１６と下片部１７に接続することで、ツル２の折畳み操作も安定する。
【符号の説明】
【００２３】
１   フロント部
２   ツル
３   リム
４   連結部材
５   鼻当てパット
６   蝶番
７   ヨロイ
８   Ｖ形板バネ
９   上片
10   下片
11   基部
12   凸部
13   凸部
14   ツル本体
15   開口部
16   上片部
17   下片部
18   連結部材
【図１】
0003207203.tif 000003
【図２】
0003207203.tif 000004
【図３】
0003207203.tif 000005
【図４】
0003207203.tif 000006
【図５】
0003207203.tif 000007
【図６】
0003207203.tif 000008
【図７】
0003207203.tif 000009
【図８】
0003207203.tif 000010